(57)【要約】【課題】灯具としての配光を形成するリフレクタの反射光が見えない範囲の灯具観察者に対してもリフレクタの反射光により演出される立体感等の意匠的効果を与えることができるようにした車両用灯具を提供する。【解決手段】例えばテールランプとして適用される本願発明の車両用灯具１０は、光源バルブ１４からの光を灯具前方に反射させるリフレクタ１６において、複数の反射面素子１８が上下左右方向の分割ライン２２、２４に沿って格子状に分割形成され、各反射面素子１８に灯具としての目的の配光を形成するための配光用反射面が形成される。一方、分割ライン２２、２４に沿った位置には、広範囲の角度方向からの観察者に対してリフレクタ１６の反射面１６ａを視認可能にするための広拡散用反射面２８が形成される。【選択図】図１
2010282894.tif 000002
【特許請求の範囲】
【請求項１】
光を出射する光源と、光源から出射された光を灯具前方に反射させる反射面を有するリフレクタを備えた車両用灯具において、
前記リフレクタの反射面は、
前記光源からの光を灯具前方に反射させて所定の配光を形成する配光用反射面と、
前記リフレクタの反射面の一部分に形成されるとともに、前記配光用反射面で反射される反射光の拡散範囲よりも広い範囲に前記光源からの光を反射させる反射面であって、前記リフレクタの反射面の複数箇所に設けられる広拡散用反射面と、
を備えたことを特徴とする車両用灯具。
【請求項２】
前記配光用反射面は、所定の分割ラインに沿って複数の反射面素子に分割形成され、前記広拡散用反射面は、前記分割ラインに沿った位置に形成されることを特徴とする請求項１の車両用灯具。
【発明の詳細な説明】
【技術分野】
【０００１】
本発明は車両用灯具に係り、特にリフレクタの反射面で配光が制御される車両用灯具に関する。
【背景技術】
【０００２】
自動車のテールランプ等に使用される車両用灯具において、主にリフレクタの反射面で配光が制御されるものは、反射面を格子状に分割して複数の反射面素子を形成し、各々の反射面素子が粒状に光るように構成されるものが知られている（例えば、特許文献１参照）。例えば、そのような車両用灯具は、図９の正面図、及び、図９におけるＡ−Ａ線での断面を示した図１０の断面図のように構成されている。これらの図に示すように、車両用灯具１００は、図示しないランプボディと透光カバー（レンズを含む）１０２とで囲まれた灯室内において、光源バルブ１０４とリフレクタ１０６が配置されて構成されている。リフレクタ１０６の反射面１０６ａは、例えば、回転放物面を全体の基本形状として、上下方向の分割ライン１１２、１１２、・・・と、左右方向の分割ライン１１４、１１４、・・・とにより格子状に分割形成された複数の反射面素子１０８、１０８、・・・により構成されている。そして、灯具点灯時（光源バルブ１０４の点灯時）において、光源バルブ１０４のフィラメント１０４ａで発光した光が各反射面素子１０８で法規の配光を満たすための光として灯具前方に拡散反射される。また、車両用灯具１００を正面視する観察者には、図１１に示すように各反射面素子１０８ごとに粒状に光る発光領域１１０、１１０、・・・が視認される。
【０００３】
このように構成された車両用灯具は、リフレクタの反射面の形状に沿って立体的に配置された各反射面素子が粒状に光って見えることによって、灯具観察者に立体感を感じさせる効果がある。
【先行技術文献】
【特許文献】
【０００４】
【特許文献１】特開２００７−３５３７１号公報
【発明の概要】
【発明が解決しようとする課題】
【０００５】
しかしながら、上記のような構成の車両用灯具の場合、限られた大きさの灯室で目的の配光を満足するようにリフレクタの反射面を設計しなければならず、灯具から出射する光束を所定の角度範囲（配光の拡散範囲）内に集中させる必要があるため、その配光の拡散範囲内に入らない角度方向からの灯具観察者にはリフレクタの反射光がほとんど見えない。そのため、配光の拡散範囲に入らない角度方向からの灯具観察者に対してはリフレクタの反射光により演出される立体感等の意匠的効果を与えることができないという問題があった。
【０００６】
本発明は、このような事情に鑑みてなされたもので、灯具としての配光を形成するリフレクタの反射光が見えない範囲の灯具観察者に対してもリフレクタの反射光により演出される立体感等の意匠的効果を与えることができるようにした車両用灯具を提供することを目的とする。
【課題を解決するための手段】
【０００７】
前記目的を達成するために、請求項１に係る車両用灯具は、光を出射する光源と、光源から出射された光を灯具前方に反射させる反射面を有するリフレクタを備えた車両用灯具において、前記リフレクタの反射面は、前記光源からの光を灯具前方に反射させて所定の配光を形成する配光用反射面と、前記リフレクタの反射面の一部分に形成されるとともに、前記配光用反射面で反射される反射光の拡散範囲よりも広い範囲に前記光源からの光を反射させる反射面であって、前記リフレクタの反射面の複数箇所に設けられる広拡散用反射面と、を備えたことを特徴としている。
【０００８】
本発明によれば、リフレクタの反射面において、光源からの光を反射させて所定の配光を形成する配光用反射面とは別に、配光用反射面で反射される反射光の拡散範囲よりも広い範囲の角度方向からの灯具観察者に対してリフレクタの反射光を見えるようにした広拡散用反射面を設けたため、配光を形成するためのリフレクタの反射光が見えない角度方向からの灯具観察者に対してもリフレクタの反射光によって立体感等の意匠的効果を与えることができる。
【０００９】
また、請求項２に係る車両用灯具は、請求項１に記載の発明において、前記配光用反射面は、所定の分割ラインに沿って複数の反射面素子に分割形成され、前記広拡散用反射面は、前記分割ラインに沿った位置に形成されることを特徴としている。
【００１０】
即ち、配光用反射面が分割ラインに沿って複数の反射面素子に分割形成されている場合に、分割ライン上に照射される光源からの光は、配光用として利用しない場合が多い。そこで、このように配光用反射面が分割ラインに沿って複数の反射面素子に分割形成されている場合には、本発明のように分割ラインに配光用反射面を形成することによって配光に影響を与えない位置に配光用反射面を形成することができ、配光への影響を考慮せずに分割ライン上の自由な位置に配光用反射面を形成することができる。
【発明の効果】
【００１１】
本発明によれば、灯具としての配光を形成するためのリフレクタの反射光が見えない範囲の灯具観察者に対してもリフレクタの反射光を見ることができる広拡散用反射面をリフレクタの反射面に形成したため、広範囲の角度方向からの灯具観察者に対してリフレクタの反射光により演出される立体感等の意匠的効果を与えることができる。
【図面の簡単な説明】
【００１２】
【図１】本願発明が適用された車両用灯具を示す正面図。
【図２】図１におけるＡ−Ａ線断面図。
【図３】図１におけるＢ−Ｂ線断面図。
【図４】リフレクタの要部拡大図。
【図５】リフレクタの反射面の構成に関する他の実施の形態を示した正面図。
【図６】リフレクタの反射面の構成に関する他の実施の形態を示した正面図。
【図７】リフレクタの反射面の構成に関する他の実施の形態を示した正面図。
【図８】リフレクタの反射面の構成に関する他の実施の形態を示した正面図。
【図９】従来における車両用灯具を示す正面図。
【図１０】図９におけるＡ−Ａ線断面図。
【図１１】図９の車両用灯具においてリフレクタの反射面で光って見える発光領域を示した正面図。
【発明を実施するための形態】
【００１３】
以下、添付図面を参照して、本発明に係る車両用灯具を実施するための形態について詳細に説明する。
【００１４】
図１は、本発明が適用された本実施の形態に係る車両用灯具を示す正面図であり、図２及び図３は、図１に示されているＡ−Ａ線及びＢ−Ｂ線の断面図である。
【００１５】
これらの図に示すように、本実施の形態に係る車両用灯具１０は、例えば、自動車の車体後端部に設けられるテールランプであって、図示しないランプボディと透光カバー（レンズを含む）１２とで囲まれた灯室内において、光源バルブ１４とリフレクタ１６とが配置されて構成されている。尚、透光カバー１２は、透明性が高く内部のリフレクタ１６の反射面１６ａが視認できるものとなっている。
【００１６】
光源バルブ１４は、上下方向に延びるフィラメント１４ａを備え、リフレクタ１６に形成されたバルブ挿通孔１６ｂを挿通して図示しないソケットに装着されている。
【００１７】
リフレクタ１６は、反射面１６ａが前面側に設けられ、その反射面１６ａは、例えば、回転放物面を全体の基本形状として、上下方向の分割ライン２２、２２、・・・と、左右方向の分割ライン２４、２４、・・・とにより格子状に分割形成された複数の反射面素子１８、１８、・・・により構成されている。そして、灯具点灯時（光源バルブ１４の点灯時）において、光源バルブ１４のフィラメント１４ａで発光した光が各反射面素子１８により灯具前方に反射されるようになっている。
【００１８】
尚、図１のＡ−Ａ線は、光源バルブ１４の中心位置を通過する左右方向の分割ライン２４より少量下にずれた位置を通過するラインであり、図１のＢ−Ｂ線は、光源バルブ１４の中心位置を通過する上下方向の分割ライン２２に一致している。また，リフレクタ１６の反射面１６ａの基本形状は回転放物面に限らず放物柱面等、他の形状であっても本願発明は適用できる。
【００１９】
各反射面素子１８は、図２に示すようにＡ−Ａ線に沿った左右方向には、隣接する反射面素子と段差を有して形成され、図３に示すようにＢ−Ｂ線（分割ライン２２）に沿った上下方向には、隣接する反射面素子と段差なく形成されている。そして、各反射面素子１８には、図２の一部を拡大した図４に例示するような配光用反射面２６と広拡散用反射面２８とが一体形成されている。
【００２０】
各反射面素子１８に形成される配光用反射面２６は、灯具としての目的の配光を形成するための反射光（法規の配光を満たすための反射光）を反射する反射面であり、例えば、凸面形状で形成されている。すなわち、広拡散用反射面２８による反射光の有無にかかわらず、この配光用反射面２６によって目的の配光（本実施の形態ではテールランプとしての配光）を形成するように光源バルブ１４からの光が反射される。
【００２１】
一方、各反射面素子１８（配光用反射面２６）の輪郭部分に形成される広拡散用反射面２８は、光源バルブ１４のフィラメント１４ａからの光によってその位置を点状に光らせると共に、配光用反射面２６よりも広範囲の角度方向に光源バルブ１４のフィラメント１４ａからの光を拡散反射させるためのものであり、いわゆる極微カット（極微加工）により、微小な領域において配光用反射面２６よりも突出した曲率の大きい凸面形状の反射面で形成されている。そして、複数の広拡散用反射面２８が、各反射面素子１８の輪郭、すなわち、分割ライン２２、２２、・・・、２４、２４、・・・の位置に沿って所定間隔置きに形成される。尚、Ｂ−Ｂ線と一致する光源バルブ１４の中心位置を通過する上下方向の分割ライン２２には、広拡散用反射面２８は設けられておらず、Ｂ−Ｂ線断面を示した図３には左右方向の分割ライン２４上に配置された広拡散用反射面２８のみが示されている。ただし、光源バルブ１４の中心位置を通過する上下方向の分割ライン２２にも広拡散用反射面２８を設けてもよい。
【００２２】
広拡散用反射面２８の反射光の拡散範囲について配光用反射面２６の反射光の拡散範囲（配光の拡散範囲）と比較して説明すると、まず、図２、及び、図４に示すように、光源バルブ１４のフィラメント１４ａから出射されて配光用反射面２６で反射される光線は、凸面形状に形成された配光用反射面２６の左右の両端部で反射される光線３０ａと光線３０ｂの間の角度範囲θ１内で反射され、その角度範囲θ１が配光用反射面２６による反射光の拡散範囲（配光用拡散範囲θ１）となる。
【００２３】
一方、光源バルブ１４のフィラメント１４ａから出射されて上下方向の分割ライン２２上に形成された広拡散用反射面２８で反射される光線は、広拡散用反射面２８の左右の両端部で反射される光線３２ａと光線３２ｂの間の角度範囲θ２内で反射され、その角度範囲θ２が広拡散用反射面２８による反射光の拡散範囲（広拡散範囲θ２）となる。
【００２４】
広拡散用反射面２８は、上記のように配光用反射面２６よりも突出した凸面形状で形成されると共に、曲率の大きな曲面で形成されており、その左右両端部付近での曲面の法線方向が、配光用反射面２６の左右両端部での曲面の法線方向より左右に広がっている。そのため、広拡散用反射面２８で反射される反射光の広拡散範囲θ２の方が、配光用反射面２６で反射される反射光の配光用拡散範囲θ１よりも広くなっている。
【００２５】
詳細な説明は省略するが左右方向の分割ライン２４上に形成された広拡散用反射面２８についても同様に、図３に示すように光源バルブ１４のフィラメント１４ａからの光に対して、配光用反射面２６による反射光の拡散範囲（配光用拡散範囲）θ１よりも広拡散用反射面２８による反射光の拡散範囲（広拡散範囲）θ２の方が大きい。
【００２６】
従って、図２、及び、図３において配光用反射面２６の配光用拡散範囲θ１内の角度方向にある視点１Ａから車両用灯具１０を観察した場合には、灯具点灯時において、図１のように各反射面素子１８の配光用反射面２６により明るく光る発光領域３４、３４、・・・と、広拡散用反射面２８により明るく光る分割ライン２２、２２、・・・、２４、２４、・・・上の発光領域３６、３６、・・・とが視認される。これらの発光領域３４、３４、・・・、３６、３６、・・・は、リフレクタ１６の反射面１６ａの表面位置に対応して立体的に配置されるため、灯具観察者に対してリフレクタ１６の反射面１６ａの表面形状に対応した立体感が与えられる。
【００２７】
一方、図２、及び、図３において配光用拡散範囲θ１よりも広角となる角度方向にある視点２Ａから車両用灯具１０を観察した場合、灯具点灯時であっても、配光用反射面２６による上記発光領域３４が光らない状態となるが、その視点２Ａが、広拡散用反射面２８の広拡散範囲θ２内の角度方向にあるときには、広拡散用反射面２８により分割ライン２２、２２、・・・、２４、２４、・・・上の発光領域３６、３６、・・・が光って見える。従って、このように配光用反射面２６からの反射光が見えない角度方向の灯具観察者に対しても、リフレクタ１６の反射面１６ａの表面位置に対応して立体的に配置された発光領域３６、３６、・・・からの反射光が見えるため、そのリフレクタ１６の反射光によってリフレクタ１６の反射面１６ａの表面形状に対応した立体感が与えられるようになっている。
【００２８】
また、灯具点灯時に限らず、灯具消灯時においても、外光が広拡散用反射面２８、２８、・・・によって広範囲に拡散反射し、その反射光を広範囲の角度方向の灯具観察者が見ることができるため、広範囲の角度方向からの灯具観察者に対してリフレクタ１６の反射面１６ａの表面形状に対応した立体感が与えられるようになっている。
【００２９】
更に、広拡散用反射面２８により反射される反射光は、配光用反射面２６からの反射光が見えない角度方向の灯具観察者に対して、上記のようなリフレクタ１６の反射面１６ａの表面形状に対応した立体感を与えるのみではなく、複数の広拡散用反射面２８の配列により形成される光模様によって美感を生じさせるという意匠的効果も有している。
【００３０】
尚、以上のごとく構成されたリフレクタ１６の反射面１６ａによれば、灯具としての目的の配光を形成するための反射面（配光用反射面２６、２６、・・・）と、リフレクタ１６の反射光（反射面１６ａ）をより広い角度範囲からの灯具観察者に対して視認させるための反射面（広拡散用反射面２８、２８、・・・）が分けられており、見た目の立体感と配光性能を両立することができる。特に、上記の広拡散用反射面２８は、微小な面で形成されると共に、配光用の反射光を反射する反射面としては有効性の低い分割ライン２２、２２、・・・、２４、２４、・・・の位置に沿って広拡散用反射面２８が形成されているため、灯具としての目的の配光への影響がほとんど生じず、目的の配光が満たされなくなることを考慮することなく広拡散用反射面２８の配置を反射面１６ａの分割に応じて任意に設定することができ、また、光源バルブ１４の光を有効に利用することができる。
【００３１】
以上、上記実施の形態の車両用灯具１０では、リフレクタ１６の反射面１６ａを複数の反射面素子１８、１８、・・・に分割する上下方向と左右方向の両方の分割ライン２２、２２、・・・、２４、２４、・・・の線上に広拡散用反射面２８、２８、・・・（発光領域３６、３６、・・・）を形成するようにしたが、これに限らない。
【００３２】
広拡散用反射面２８の配置位置以外は図１と同様の構成を示す図５の車両用灯具１０のように、たとえば、上下方向の分割ライン２２、２２、・・・の線上のみに広拡散用反射面２８、２８、・・・を配置し、上下方向の分割ライン２２、２２、・・・の位置の発光領域３６、３６、・・・のみが光るようにしてもよい。
【００３３】
また、広拡散用反射面２８の配置以外は図１と同様の構成を示す図６の車両用灯具１０のように、たとえば、灯具外周のデザインに合わせて、左右方向の分割ライン２４、２４、・・・の線上のみに広拡散用反射面２８、２８、・・・を配置し、左右方向の分割ライン２４、２４、・・・の位置の発光領域３６、３６、・・・のみが光るようにしてもよい。
【００３４】
また、リフレクタ１６の反射面１６ａを複数の反射面素子に分割する分割ラインは、反射面１６ａを図１のような格子状に分割するものでなくても、任意の形状に分割するものでよく、広拡散用反射面２８も反射面１６ａを視認可能にする状況に応じて分割ライン上の任意の位置に配置すれば良い。例えば、図７の車両用灯具１５０は、図１と同様に構成された光源バルブ１４とリフレクタ１６を備えており、そのリフレクタ１６の反射面１６ａにおいて中心から放射状に延びる等角度間隔の直線２００、２００、・・・と、径が異なる円２０２、２０２、・・・とを分割ラインとしてリフレクタ１６の反射面１６ａが複数の反射面素子に分割されている。本願発明は、このような分割ラインに対しても適用可能であり、それらの分割ラインのうち、全て又は一部の分割ライン上に上記のような広拡散用反射面２８、２８、・・・（発光領域３６、３６、・・・）を形成すれば良い。
【００３５】
また、広拡散用反射面２８は、必ずしも分割ラインの位置に形成しなくてもよく、広拡散用反射面２８の配置以外は図１と同様の構成を示す図８の車両用灯具１６０のように、広拡散用反射面２８、２８、・・・（発光領域３６、３６、・・・）をリフレクタ１６の反射面１６ａ上のランダムな位置に形成するようにしてもよいし、分割ラインとは関係のない位置やライン上に形成してもよい。
【００３６】
また、上記実施の形態では、灯具光源としてフィラメント１４ａによって発光する光源バルブ１４が使用されたものを示したが、本願発明は、どのような種類の灯具光源であってもよく、任意の種類の光源からの光をリフレクタの反射面によって灯具前方に反射させる構成を有する車両用灯具に適用できる。
【００３７】
また、上記実施の形態では、広拡散用反射面２８を凸面形状としたが、必ずしも凸面形状でなくてもよく、反射光を広い拡散範囲に反射できる形状であればよい。
【００３８】
また、広拡散用反射面２８を、上記のように微小な面で形成する場合には、分割ライン２２、２２、・・・、２４、２４、・・・上でなくてもリフレクタ１６の反射面１６ａの任意の位置に広拡散用反射面２８を設けることが可能であり、灯具としての配光への影響を考慮せずに、所望のライン上、又は、位置（点）に広拡散用反射面２８を形成することも可能である。ただし、広拡散用反射面２８は、必ずしも微小な面に制限されるものではなく、また、リフレクタ１６の反射面１６ａに設けられる全ての広拡散用反射面２８が同一の大きさでなくてもよい。即ち、リフレクタの反射面を、灯具としての目的の配光を形成する配光用反射面と、配光用反射面で反射される反射光の拡散範囲よりも広い範囲に光源からの光を反射させる広拡散用反射面（複数の広拡散反射面）とで構成したものが本願発明に該当し、これによれば、広範囲の角度方向からの観察者に対してリフレクタの反射光を見せることができ、リフレクタの反射光による立体感等の意匠的効果を与えることができる。
【００３９】
また、リフレクタの反射面を複数の反射面素子に分割する分割ラインとして、擬似３次元の模様を描くようにし、その分割ラインに沿って広拡散用反射面を形成することによって、リフレクタの反射面の形状とは異なる立体感を生じさせるようにしてもよい。例えば、図１において、分割ライン２２、２２、・・・、２４、２４、・・・は、左右等間隔に上下方向に引かれた平行線（群）と上下等間隔に左右方向に引かれた平行線（群）とが交差してなる格子模様（２次元の直交格子）の平面を斜め上方の投影面に投影した透視図におけるそれらの平行線（群）に対応させる。このような透視図上の格子模様を形成する分割ライン２２、２２、・・・、２４、２４、・・・に沿って広拡散用反射面２８を形成することによって、広拡散用反射面２８の反射光により形成される光の模様が観察者に対して立体感を生じせるものとなる。
【００４０】
また、本願発明は、テールランプに限らず、ストップランプ、ターンランプ等の車両用信号灯とも称される全ての車両用灯具に適用できる。
【符号の説明】
【００４１】
１０、１００…車両用灯具、１２、１０２…透光カバー、１４、１０４…光源バルブ、１４ａ、１０４ａ…フィラメント、１６、１０６…リフレクタ、１６ａ、１０６ａ…反射面、１６ｂ…バルブ挿通孔、１８、１０８…反射面素子、２２、２４、１１２、１１４…分割ライン、２６…配光用反射面、２８…広拡散用反射面
【図１】
2010282894.tif 000003
【図２】
2010282894.tif 000004
【図３】
2010282894.tif 000005
【図４】
2010282894.tif 000006
【図５】
2010282894.tif 000007
【図６】
2010282894.tif 000008
【図７】
2010282894.tif 000009
【図８】
2010282894.tif 000010
【図９】
2010282894.tif 000011
【図１０】
2010282894.tif 000012
【図１１】
2010282894.tif 000013